(57)【要約】【課題】ＣＥＣ機能を有さないＨＤＭＩ機器において連携動作を実現することができる受像装置及び制御方法を提供することである。【解決手段】実施形態の受像装置は、映像データ取得部と、電源制御部と、を持つ。映像データ取得部は、映像出力装置から出力される映像データを取得する。電源制御部は、前記映像データに基づいて前記映像データによって示される映像に関する出力を行う出力部に対する電力の供給を制御する。【選択図】図１
2017139706.tif 000002
【特許請求の範囲】
【請求項１】
映像出力装置から出力される映像データを取得する映像データ取得部と、
前記映像データに基づいて前記映像データによって示される映像に関する出力を行う出力部に対する電力の供給を制御する電源制御部と、
を備える受像装置。
【請求項２】
前記電源制御部は、前記映像データを伝送する信号の一部であって、前記映像出力装置が自装置に対して前記映像データの伝送レートを通知するための信号であるクロック信号に基づいて、前記出力部に対する電力の供給を制御する、
請求項１に記載の受像装置。
【請求項３】
前記電源制御部は、前記映像データを伝送する信号の一部であって、前記映像として再生される画像データ又は音声データを伝送する信号と、前記クロック信号とに基づいて、前記出力部に対する電力の供給を制御する、
請求項２に記載の受像装置。
【請求項４】
前記出力部は、映像を表示することが可能な表示部を含み、
前記電源制御部は、前記クロック信号の周波数が前記表示部の表示可能な映像に対応する周波数である場合には前記出力部に対して電力を供給し、前記クロック信号の周波数が前記表示部の表示可能な映像に対応する周波数でない場合には前記表示部に対して電力を供給しない、
請求項２又は３に記載の受像装置。
【請求項５】
映像出力装置から出力される映像データを取得する映像データ取得ステップと、
前記映像データに基づいて前記映像データによって示される映像に関する出力を行う出力部に対する電力の供給を制御する電源制御ステップと、
を備える制御方法。
【発明の詳細な説明】
【技術分野】
【０００１】
本発明の実施形態は、受像装置及び制御方法に関する。
【背景技術】
【０００２】
近年、映像や音声等のマルチメディアをデジタル信号で伝送する通信インターフェースの標準規格としてＨＤＭＩ（High-Definition Multimedia Interface：高精細度マルチメディアインターフェース）（登録商標）が普及している。ＨＤＭＩは、ＰＣ（Personal Computer）とディスプレイとを接続する標準規格であるＤＶＩ（Digital Visual Interface）を基に、音声伝送機能や著作権保護機能（デジタルコンテンツ等の不正コピー防止）、色差伝送機能を加えるなどしてＡＶ家電向けに改良された規格である。ＨＤＭＩは音声及び映像を非圧縮のデジタル形式で伝送することが可能であり、理論的には伝送中に音質及び画質が劣化しないとされている。
【０００３】
また、ＨＤＭＩは、周辺機器との連携動作を可能にするＣＥＣ（Consumer Electronics Control）機能を有している。このＣＥＣ機能により、例えば、自装置の電源オンを契機として周辺機器を電源オン状態に遷移させるといった連携動作が可能になる。しかしながら、ＨＤＭＩインターフェースを備える機器（以下、「ＨＤＭＩ機器」という。）の必ずしも全てがこのＣＥＣ機能に対応しているとは限らないというのが現状である。そのため、ＣＥＣ機能に対応していない機器では、周辺機器との連携動作を実現できない可能性があった。
【先行技術文献】
【特許文献】
【０００４】
【特許文献１】特開２０１３−７３０７０号公報
【発明の概要】
【発明が解決しようとする課題】
【０００５】
本発明が解決しようとする課題は、ＣＥＣ機能を有さないＨＤＭＩ機器において連携動作を実現することができる受像装置及び制御方法を提供することである。
【課題を解決するための手段】
【０００６】
実施形態の受像装置は、映像データ取得部と、電源制御部と、を持つ。映像データ取得部は、映像出力装置から出力される映像データを取得する。電源制御部は、前記映像データに基づいて前記映像データによって示される映像に関する出力を行う出力部に対する電力の供給を制御する。
【図面の簡単な説明】
【０００７】
【図１】実施形態の受像装置と、受像装置に対して映像を出力する映像出力装置とで構成される映像表示システム１００の構成の具体例を示す図。
【図２】ソース機器１からシンク機器２に対して送信されるクロック信号の具体例を示す図。
【図３】対応情報の具体例を示す図。
【図４】シンク機器２がクロック信号に基づいて表示部２１及び音声出力部２２に対する電力の供給を制御する処理の流れを示すフローチャート。
【発明を実施するための形態】
【０００８】
以下、実施形態の受像装置及び制御方法を、図面を参照して説明する。
【０００９】
図１は、実施形態の受像装置と、受像装置に対して映像を出力する映像出力装置とで構成される映像表示システム１００の構成の具体例を示す図である。映像表示システム１００は、映像出力装置であるソース機器１と、受像装置であるシンク機器２とを備える。ソース機器１とシンク機器２とはＨＤＭＩインターフェースで接続される。ソース機器１は、ＨＤＭＩインターフェースを介して、映像の表示に必要となる情報（以下、「映像データ」という。）をシンク機器２に送信する。具体的には、映像データは、映像として再生される時系列の画像データを含む情報である。なお、ソース機器１から出力される映像は音声を伴う映像であってもよく、その場合、映像データには上記の画像データに加えて、画像データの再生に同期して出力される音声データが含まれる。シンク機器２は、ソース機器１から送信された映像データを受信し、受信した映像データに基づいて映像の表示や音声の出力を行う。
【００１０】
続いて、ＨＤＭＩインターフェースの信号線の構成について説明する。ＣＥＣ機能に対応したＨＤＭＩインターフェースは、映像データ伝送ライン３１、電源ライン３２、補助ライン３３、接続検出ライン３４及び周辺機器制御ライン３５の各信号線を有する。
【００１１】
映像データ伝送ライン３１は、映像データを伝送するための信号線である。具体的には、映像データ伝送ライン３１は、ＴＭＤＳ（Transition Minimized Differential Signaling）（登録商標）と呼ばれる高速作動信号で映像データを伝送する。ＴＭＤＳは、３つのデータレーン（ＣＨ−０、ＣＨ−１及びＣＨ−２）と、１つのクロックレーン（Ｃｌｏｃｋ）との合計４レーンで構成される。ＣＨ−０には、ＲＧＢで表現される映像のうちのＢ映像、ＶＳＹＮＣ（垂直同期信号）及びＨＳＹＮＣ（水平同期信号）が割り当てられる。ＣＨ−１には、Ｇ映像及びコントロール信号が割り当てられる。ＣＨ−２には、Ｒ映像とコントロールデータが割り当てられる。すなわち、ＨＤＭＩは、アナログであるＶＧＡ（Video Graphics Array）信号におけるＲＧＢの各映像を、ＴＭＤＳの高速作動信号に変換して伝送するものである。Ｃｌｏｃｋには、映像データの伝送レートを通知するためのクロック信号が割り当てられる。なお、音声データは映像データに埋め込まれ、映像データの一部としてデータレーンを介してシンク機器２に伝送される。一般に、映像データは、このように伝送されるＶＳＹＮＣ、ＨＳＹＮＣ及びクロック信号が調整されることにより、各種の映像フォーマット（４８０ｉ、７２０ｐ、１０８０ｐなど）で表示される。
【００１２】
電源ライン３２は、ＨＤＭＩトランスミッタ１２がＨＤＭＩレシーバ２４に対して電力を供給するために用いられる信号線である。具体的には、電源ライン３２は、５Ｖの電圧で電力を供給する。
【００１３】
補助ライン３３は、ソース機器１がシンク機器２の性能に関する情報を読み出すために用いられる信号線である。このようなシンク機器２の性能に関する情報は、一般に、ディスプレイデータと呼ばれ、シンク機器２に予め記憶されている。具体的には、ディスプレイデータは、ディスプレイの解像度（ＥＤＩＤ：Extended Display Identification Data）や製品情報などを示す情報である。
【００１４】
また、具体的には、補助ライン３３には、ＤＤＣ（Display Data Channel）と呼ばれるＶＥＳＡ（Video Electronics Standard Association）で標準化されたディスプレイデータに関するインターフェース規格が用いられる。ＤＤＣは、通信プロトコルにＩ２Ｃを用いた低速の通信線である。また、補助ライン３３は、ディスプレイデータの読み出しのほか、ＨＤＣＰ（High-bandwidth Digital Content Protection：高帯域幅デジタルコンテンツ保護）の認証動作に関する通信にも用いられる。
【００１５】
接続検出ライン３４は、ＨＰＤ（Hot-Plug-Detect）機能に用いられる信号線である。ＨＰＤ機能とは、ソース機器１が、ＨＤＭＩインターフェースの対向にシンク機器２が接続されたことを検出する機能である。
周辺機器制御ライン３５は、ＣＥＣ機能に用いられる信号線である。
【００１６】
上述した信号線のうち、映像データ伝送ライン３１、電源ライン３２及び補助ライン３３は、後述するソース機器１のＨＤＭＩトランスミッタ１２と、シンク機器２のＨＤＭＩレシーバ２４とに接続される。また、接続検出ライン３４及び周辺機器制御ライン３５は、後述するソース機器１のＣＰＵ（Central Processing Unit）１２と、シンク機器２の第１ＣＰＵ２６とに接続される。
【００１７】
続いて、ソース機器１及びシンク機器２の機能構成について説明する。まず、ソース機器１の機能構成について説明する。ソース機器１は、バスで接続されたＣＰＵやメモリや補助記憶装置などを備え、ソース機器プログラムを実行する。ソース機器１は、ソース機器プログラムの実行によってＡＶプロセッサ１１、ＨＤＭＩトランスミッタ１２及びＣＰＵ１３を備える装置として機能する。なお、ソース機器１の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。ソース機器プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。ソース機器プログラムは、電気通信回線を介して送信されてもよい。
【００１８】
ＡＶプロセッサ１１は、シンク機器２に出力する対象の映像データをＨＤＭＩトランスミッタ１２に出力する。ＡＶプロセッサ１１は、ＨＤＭＩトランスミッタ１２に対して、動画ファイルを再生することによって取得される映像データを出力してもよいし、外部から入力されたストリーミング形式の映像データを出力してもよい。
【００１９】
ＨＤＭＩトランスミッタ１２は、ＡＶプロセッサ１１から出力される映像データを、ＨＤＭＩインターフェースで伝送可能な信号に変換してシンク機器２に送信する。具体的には、ＨＤＭＩトランスミッタ１２は、ＨＤＭＩインターフェースで伝送可能な信号に変換した映像データを映像データ伝送ライン３１に出力する。
【００２０】
ＣＰＵ１３は、ＣＥＣ機能に関する制御を行う。具体的には、ＣＰＵ１３は、周辺機器制御ライン３５を介してシンク機器２との間でＣＥＣ機能に関する制御信号（以下、「ＣＥＣ信号」という。）を送受信する。例えば、ＣＥＣ信号は、ＡＶプロセッサ１１又はＨＤＭＩトランスミッタ１２から出力される。ＣＰＵ１３は、ＨＤＭＩトランスミッタ１２又はＡＶプロセッサ１１から出力されたＣＥＣ信号をシンク機器２に送信するとともに、シンク機器２から送信されるＣＥＣ信号に基づいてＨＤＭＩトランスミッタ１２又はＡＶプロセッサ１１を制御する。
【００２１】
続いて、シンク機器２の機能構成について説明する。シンク機器２は、バスで接続されたＣＰＵやメモリや補助記憶装置などを備え、シンク機器プログラムを実行する。シンク機器２は、シンク機器プログラムの実行によって表示部２１、音声出力部２２、電力供給部２３、ＨＤＭＩレシーバ２４、ＡＶプロセッサ２５、第１ＣＰＵ２６及び第２ＣＰＵ２７（電源制御部）を備える装置として機能する。なお、シンク機器２の各機能の全て又は一部は、ＡＳＩＣやＰＬＤやＦＰＧＡ等のハードウェアを用いて実現されてもよい。シンク機器プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。シンク機器プログラムは、電気通信回線を介して送信されてもよい。
【００２２】
表示部２１（出力部の一例）は、ＣＲＴ（Cathode Ray Tube）ディスプレイや液晶ディスプレイ、有機ＥＬ（Electro-Luminescence）ディスプレイ等の表示装置を用いて構成される。表示部２１は、ＡＶプロセッサ２５から出力される映像信号に基づいてディスプレイの画素値を変化させることにより映像を表示する。なお、表示部２１は、上記の表示装置に対して映像信号を無線又は有線で送信する映像トランスミッタとして構成されてもよい。
【００２３】
音声出力部２２（出力部の一例）は、スピーカやイヤホン、ヘッドホンなどの音声出力装置を用いて構成される。音声出力部２２は、ＡＶプロセッサ２５から出力される音声信号をアナログ音声に変換して出力する。
【００２４】
電力供給部２３は、表示部２１及び音声出力部２２に対して、表示部２１及び音声出力部２２が動作するための電力を供給する。電力供給部２３は、第１ＣＰＵ２６又は第２ＣＰＵ２７の制御に応じて、表示部２１及び音声出力部２２に対する電力供給のオン・オフを切り替えることが可能である。
【００２５】
ＨＤＭＩレシーバ２４は、ソース機器１から送信される映像データを受信してＡＶプロセッサ２５に出力する。具体的には、ＨＤＭＩレシーバ２４は、映像データ伝送ライン３１から出力される信号を自装置に入力し、入力信号を映像データに変換する。ＨＤＭＩレシーバ２４は、入力信号の変換によって取得された映像データをＡＶプロセッサ２５に出力する。
【００２６】
ＡＶプロセッサ２５（映像データ取得部）は、ＨＤＭＩレシーバ２４から出力される映像データに基づいて映像信号及び音声信号を生成する。映像信号は、映像データによって示される映像を表示部２１に表示させるための信号である。音声信号は、映像データに含まれる音声データによって示される音声を音声出力部２２に出力させるための信号である。また、ＡＶプロセッサ２５は、映像データに含まれるクロック信号を第２ＣＰＵ２７に出力する。
【００２７】
第１ＣＰＵ２６は、ＣＥＣ機能に関する制御処理を実行する。具体的には、第１ＣＰＵ２６は、周辺機器制御ライン３５を介してソース機器１との間でＣＥＣ信号を送受信する。第１ＣＰＵ２６は、ＨＤＭＩレシーバ２４又はＡＶプロセッサ２５から出力されるＣＥＣ信号をソース機器１に送信するとともに、ソース機器１から送信されるＣＥＣ信号に基づいてＨＤＭＩレシーバ２４、ＡＶプロセッサ２５及び電力供給部２３を制御する。
【００２８】
第２ＣＰＵ２７は、ＡＶプロセッサ２５から出力されるクロック信号に基づいて電力供給部２３を制御する。
【００２９】
図２は、ソース機器１からシンク機器２に対して送信されるクロック信号の具体例を示す図である。図２（Ａ）は、ソース機器１がシンク機器２に対して映像の出力を行っているときのクロック信号を示している。一方、図２（Ｂ）は、ソース機器１がシンク機器２に対して映像の出力を行っていないときのクロック信号を示している。このように、クロック信号は映像の出力に応じて出力される信号である。そのため、クロック信号の有無によって映像の出力の有無を識別することができる。
【００３０】
さらに、クロック信号は、映像フォーマットに応じて異なる周波数を持つ。例えば、クロック信号の周波数は、７２０ｐや４２０ｐ、ＶＧＡ（Video Graphics Array）などの映像フォーマットに応じて異なる。そのため、クロック信号の周波数によって出力中の映像の映像フォーマットを識別することができる。
【００３１】
第２ＣＰＵ２７は、このように映像フォーマットに応じて異なるクロック信号の周波数に基づいて、電力供給部２３を制御する。具体的には、第２ＣＰＵ２７は、出力中の映像が自装置において表示可能な映像フォーマットの映像である場合には、表示部２１及び音声出力部２２に対して電力を供給するように電力供給部２３を制御する。一方で、出力中の映像が自装置において表示不可能な映像フォーマットの映像である場合には、表示部２１及び音声出力部２２に対して電力を供給しないように電力供給部２３を制御する。
【００３２】
なお、シンク機器２は、自装置において表示可能な映像フォーマットと、その映像フォーマットに応じたクロック信号の周波数との対応関係を示す対応情報を、予め装置内部のメモリや補助記憶装置等の記憶部（図示せず）に記憶している。
【００３３】
図３は、対応情報の具体例を示す図である。例えば、対応情報は、図３に示す対応情報テーブルとして予めシンク機器２に記憶される。対応情報テーブルは、映像フォーマットごとの対応情報レコードを有する。対応情報レコードは、映像フォーマット及び周波数の各値を有する。映像フォーマットは、シンク機器２において表示可能な映像の種別を表す。周波数は、映像フォーマットの値が示す映像種別に対応するクロック信号の周波数を表す。第２ＣＰＵ２７は、ＡＶプロセッサ２５から出力されたクロック信号の周波数が、対応情報に登録されている場合に、表示部２１及び音声出力部２２に対して電力を供給するように電力供給部２３を制御する。
【００３４】
図４は、シンク機器２がクロック信号に基づいて表示部２１及び音声出力部２２に対する電力の供給を制御する処理の流れを示すフローチャートである。まず、第２ＣＰＵ２７が、クロック信号が変化したか否かを判定する（ステップＳ１０１）。具体的には、第２ＣＰＵ２７は、クロック信号の有無の変化、又はクロック信号の周波数の変化を検出する。クロック信号に変化がない場合（ステップＳ１０１−ＮＯ）、第２ＣＰＵ２７はステップＳ１０１を繰り返し実行し、クロック信号の監視を継続する。
【００３５】
一方、クロック信号に変化が生じた場合（ステップＳ１０１−ＹＥＳ）、第２ＣＰＵ２７は、当該クロック信号が正常なクロック信号であるか否かを判定する（ステップＳ１０２）。具体的には、第２ＣＰＵ２７は、対応情報に基づいて、クロック信号の周波数が自装置において表示可能な映像フォーマットの周波数であるか否かを判定し、クロック信号の周波数が自装置において表示可能な映像フォーマットの周波数である場合に、当該クロック信号が正常であると判定する。クロック信号が正常であると判定された場合（ステップＳ１０２−ＹＥＳ）、第２ＣＰＵ２７は、表示部２１及び音声出力部２２が電源オフの状態であるか否かを判定する（ステップＳ１０３）。
【００３６】
表示部２１及び音声出力部２２が電源オフの状態でない場合（ステップＳ１０３−ＮＯ）、すなわち、表示部２１及び音声出力部２２が既に電源オンの状態である場合、第２ＣＰＵ２７は、ステップＳ１０１に戻り、後続するクロック信号の監視を継続する。一方、表示部２１及び音声出力部２２が電源オフの状態である場合（ステップＳ１０３−ＹＥＳ）、第２ＣＰＵ２７は、表示部２１及び音声出力部２２に対して映像の表示及び音声の出力を行わせるために、電力供給部２３を制御して表示部２１及び音声出力部２２を電源オンの状態に遷移させる（ステップＳ１０４）。第２ＣＰＵ２７は、表示部２１及び音声出力部２２を電源オンの状態に遷移させると、ステップＳ１０１に戻り、後続するクロック信号の監視を継続する。
【００３７】
一方、ステップＳ１０２において、クロック信号が正常でないと判定された場合（ステップＳ１０２−ＮＯ）、第２ＣＰＵ２７は、表示部２１及び音声出力部２２が電源オンの状態であるか否かを判定する（ステップＳ１０５）。表示部２１及び音声出力部２２が電源オンの状態でない場合（ステップＳ１０５−ＮＯ）、すなわち、表示部２１及び音声出力部２２が既に電源オフの状態である場合、第２ＣＰＵ２７は、ステップＳ１０１に戻り、後続するクロック信号の監視を継続する。
【００３８】
一方、表示部２１及び音声出力部２２が電源オンの状態である場合（ステップＳ１０５−ＮＯ）、第２ＣＰＵ２７は、表示部２１及び音声出力部２２に対して映像の表示及び音声の出力を行わせないために、電力供給部２３を制御して表示部２１及び音声出力部２２を電源オフの状態に遷移させる（ステップＳ１０６）。
【００３９】
このように構成された実施形態のシンク機器２は、ソース機器１から送信される映像のクロック信号に基づいて、映像や音声を出力する機能部に対する電力の供給を制御する第２ＣＰＵ２７を備える。このような構成を備えることにより、シンク機器２は、ＣＥＣ機能の有無によらずＨＤＭＩ機器の連携動作を実現することが可能となる。
【００４０】
上記実施形態では、ＨＤＭＩ機器の連携動作の一例として表示部２１及び音声出力部２２に対する電力供給を制御する例を説明した。このような電源制御により、実施形態のシンク機器２では、映像信号が出力されていないときのシンク機器２の消費電力を削減することが可能となる。
【００４１】
具体的には、ＣＥＣ機能に対応していない従来のシンク機器では、ソース機器に接続されている間、表示部２１及び音声出力部２２は電源オンの状態となっていた。そのため、表示可能な映像信号又は表示すべき映像信号が出力されていないにも関わらず、電力が消費されてしまう可能性があった。これに対して、実施形態のシンク機器２は、出力される映像信号に基づいて表示部２１及び音声出力部２２の電源状態を制御可能である。そのため、映像信号が出力されていないときのシンク機器２の消費電力を削減することが可能となる。
【００４２】
以下、実施形態のシンク機器２の変形例について説明する。
【００４３】
シンク機器２は、クロック信号が正常であるか否かの判定に、クロック信号以外の信号を用いてもよい。例えば、シンク機器２は、クロック信号が正常であるか否かの判定に、データレーンで伝送される信号を用いてもよい。この場合、第２ＣＰＵ２７は、クロック信号の周波数が自装置に対応した映像フォーマットの周波数であり、かつ、データレーンを介して映像（音声を含む）の信号が出力されている状態であることをもって、クロック信号が正常であることを判定してもよい。このような判定を行うことによって、シンク機器２は、表示部２１及び音声出力部２２を動作させるべきか否かをより正確に判定することができる。これによりシンク機器２は、表示部２１及び音声出力部２２の省電力効果をより高めることが可能となる。
【００４４】
ソース機器１とシンク機器２との間の接続インターフェースは、ＨＤＭＩに限定されない。ソース機器１とシンク機器２とは、クロック信号を含む映像データを伝送するインターフェースであれば、他のどのような接続インターフェースで接続されてもよい。
【００４５】
以上説明した少なくともひとつの実施形態によれば、映像データに基づいて映像データによって示される映像に関する出力を行う出力部に対する電力の供給を制御する電源制御部を持つことにより、ＣＥＣ機能を有さないＨＤＭＩ機器において連携動作を実現することができる。
【００４６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１００…映像表示システム、１…ソース機器、１１…ＡＶプロセッサ、１２…ＣＰＵ（Central Processing Unit）、１２…ＨＤＭＩ（High-Definition Multimedia Interface）トランスミッタ、２…シンク機器、２１…表示部、２２…音声出力部、２３…電力供給部、２４…ＨＤＭＩレシーバ、２５…プロセッサ、２６…第１ＣＰＵ、２７…第２ＣＰＵ、３１…映像データ伝送ライン、３２…電源ライン、３３…補助ライン、３４…接続検出ライン、３５…周辺機器制御ライン
【図１】
2017139706.tif 000003
【図２】
2017139706.tif 000004
【図３】
2017139706.tif 000005
【図４】
2017139706.tif 000006